(57)【特許請求の範囲】
【請求項１】
内部に空間を有し、一方主面にはワークを収納するための底部を有する複数の収納穴が形成され、前記収納穴底部から前記空間に通じる貫通孔が形成されるとともに、前記収納穴に前記ワークを収納した時点で、前記収納穴の底面と前記ワークとの間には隙間が存在するように形成された振り込み治具を準備する工程と、
前記ワークを前記収納穴に収納する工程と、
前記収納穴が被覆されるように、前記振り込み治具の一方主面に平板を載置する工程と、
前記空間に接続された吸引手段により、前記空間内部を減圧し、前記平板および前記ワークを前記振り込み治具に吸着固定させる工程と、
前記平板を吸着固定させた状態で、前記振り込み治具および前記平板を反転させ、前記吸引手段を停止させることにより前記ワークを前記平板上に整列させる工程と、を備えることを特徴とするワークの整列方法。
【請求項２】
内部に空間を有し、一方主面から前記空間に貫通してワークを収納するための複数の収納穴が形成され、前記収納穴と前記空間との間に通気性を有する部材が配置された、振り込み治具を準備する工程と、
前記ワークを前記収納穴に収納する工程と、
前記収納穴が被覆されるように、前記振り込み治具の一方主面に平板を載置する工程と、
前記空間に接続された吸引手段により、前記空間内部を減圧し、前記平板および前記ワークを前記振り込み治具に吸着固定させる工程と、
前記平板を吸着固定させた状態で、前記振り込み治具および前記平板を反転させ、前記吸引手段を停止させることにより前記ワークを前記平板上に整列させる工程と、を備えることを特徴とするワーク整列方法。
【発明の詳細な説明】
【０００１】
【発明の属する技術分野】
本発明は、セラミック成形体等のワークを、平板上に移載し整列させるワークの整列方法に関する。
【０００２】
【従来の技術】
セラミック電子部品を製造する際には、所定の形状に成形されたセラミック成形体を平板に載置して焼成することが行われている。このようにしてセラミック成形体を焼成する場合、セラミック成形体どうしがくっつかないように、複数のセラミック成形体を一定の間隔をあけて整列させる必要がある。
【０００３】
上記のようにセラミック成形体（以下、ワークとする）を整列させる方法としては、例えば、図８に示すような方法が用いられている。この方法は、収納穴４４にワーク４６が収納された振り込み治具４１上に平板４７を載置し、クランプ４８で平板４７を振り込み治具４１に固定し、振り込み治具４１および平板４７を反転させ、ワーク４６を平板４７上に移載するというものである。
【０００４】
【発明が解決しようとする課題】
ところが、上記の方法では、平板４７を部分的にしか固定できないため、平板４７に反りがあると、反転時に振り込み治具４１と平板４７との間に隙間が生じる。すると、その隙間にワーク４６が入り込み、ワーク４６どうしがくっついたり、隙間からワーク４６がこぼれ落ちるという問題があった。
【０００５】
また、平板４７が大型化した場合、平板４７全面を振り込み治具４１に均一に密着させるためにはクランプ４７を大型化、複雑化させる必要性があった。
【０００６】
本発明は、上記従来の状況に鑑みてなされたもので、クランプを用いることなく平板を振り込み治具に密着させることのできるワーク整列方法を提供することを目的としている。
【０００７】
【課題を解決するための手段】
請求項１の発明は、内部に空間を有し、一方主面にはワークを収納するための底部を有する複数の収納穴が形成され、前記収納穴底部から前記空間に通じる貫通孔が形成されるとともに、前記収納穴に前記ワークを収納した時点で、前記収納穴の底面と前記ワークとの間には隙間が存在するように形成された振り込み治具を準備する工程と、前記ワークを前記収納穴に収納する工程と、前記収納穴が被覆されるように、前記振り込み治具の一方主面に平板を載置する工程と、前記空間に接続された吸引手段により、前記空間内部を減圧し、前記平板および前記ワークを前記振り込み治具に吸着固定させる工程と、前記平板を吸着固定させた状態で、前記振り込み治具および前記平板を反転させ、前記吸引手段を停止させることにより前記ワークを前記平板上に整列させる工程と、を備えることを特徴としている。
【０００８】
請求項２の発明は、内部に空間を有し、一方主面から前記空間に貫通してワークを収納するための複数の収納穴が形成され、前記収納穴と前記空間との間に通気性を有する部材が配置された、振り込み治具を準備する工程と、前記ワークを前記収納穴に収納する工程と、前記収納穴が被覆されるように、前記振り込み治具の一方主面に平板を載置する工程と、前記空間に接続された吸引手段により、前記空間内部を減圧し、前記平板および前記ワークを前記振り込み治具に吸着固定させる工程と、前記平板を吸着固定させた状態で、前記振り込み治具および前記平板を反転させ、前記吸引手段を停止させることにより前記ワークを前記平板上に整列させる工程と、を備えることを特徴としている。
【０００９】
削除
【００１０】
【発明の実施の形態】
（参考形態１）図１は、本参考形態で用いられる振り込み治具を示す概略断面図である。振り込み治具１１においては、内部に空間１３が形成されている。前記振り込み治具１１の一方主面には底面を有する複数の収納穴１４、前記振り込み治具１１の一方主面から前記空間１３に通じる複数の貫通孔１５が形成されている。また、前記空間１３には吸引手段Ｐが接続されている。
【００１１】
図２は、振り込み治具１１を用いたワークの整列方法を示す概略工程図である。まず、振り込み治具１１の一方主面にワークを搭載し、振り込み治具１１を振動させることにより、図２（Ａ）に示すように、収納穴１４にワーク１６を収納する。
【００１２】
次に、図２（Ｂ）に示すように、振り込み治具１１上に平板１７を載置し、吸引手段Ｐにより空間１３の内部を減圧し、平板１７を振り込み治具１１に吸着固定する。
【００１３】
次に、図２（Ｃ）に示すように、平板１７を吸着固定させた状態で、振り込み治具１１および平板１７を反転させる。次に、吸引手段を停止させ、振り込み治具１１を平板１７から分離し、平板１７上にワーク１６を整列する。
【００１４】
（実施形態１）図３は、本実施形態で用いられる振り込み治具を示す概略断面図である。振り込み治具２１においては、内部に空間２３が形成されている。前記振り込み治具２１の一方主面には底面を有する複数の収納穴２４、前記収納穴２４の底部から前記空間２３に通じる貫通孔２５が形成されている。また、前記空間２３には吸引手段Ｐが接続されている。
【００１５】
図４は、振り込み治具２１を用いたワークの整列方法を示す概略工程図である。まず、振り込み治具２１の一方主面にワークを搭載し、振り込み治具２１を振動させることにより、図６（Ａ）に示すように、収納穴２４にワーク２６を収納する。
【００１６】
次に、図４（Ｂ）に示すように、振り込み治具２１上に平板２７を載置し、吸引手段により空間２３の内部を減圧し、平板２７を振り込み治具２１に吸着固定する。なお、収納穴２４にワーク２６を収納した時点で、収納穴２４の底面とワークとの間には若干の隙間が存在し、その隙間から平板２７は振り込み治具２１に吸着される。
【００１７】
次に、図４（Ｃ）に示すように、次に、平板２７を吸着固定させた状態で、振り込み治具２１および平板２７を反転させる。その後、吸着手段を停止させ、ワーク２６を平板２７上に移載する。振り込み治具２１を平板２７およびワーク２６から分離すると、平板２７上にワーク２６が整列する。
【００１８】
なお、図５に示すように、収納穴２４の底面の端部に貫通孔２５を設けてもよい。この場合、ワーク２６の側面と収納穴２４の側面との間の空間を利用して、平板２７を振り込み治具２１に吸着固定させることができる。
【００１９】
（実施形態２）図６は、本実施形態で用いられる振り込み治具を示す概略断面図である。振り込み治具３１においては、内部に空間３３が形成されている。前記振り込み治具３１の一方主面から前記空間３３に貫通して複数の収納穴３４が形成され、前記収納穴３４と前記空間３３との間に通気性を有する部材３５が配置されている。通気性を有する部材３５としては、例えば、多孔質セラミック、多孔質樹脂、焼結金属、紙等を用いることができる。また、前記空間３３には吸引手段Ｐが接続されている。
【００２０】
図７は振り込み治具３１を用いたワークの整列方法を示す概略工程図である。まず、振り込み治具３１の一方主面にワークを搭載し、振り込み治具３１を振動させることにより、図４（Ａ）に示すように、収納穴３４にワーク３６を収納する。
【００２１】
次に、図７（Ｂ）に示すように、振り込み治具３１上に平板３７を載置し、吸引手段により空間３３の内部を減圧し、平板３７を振り込み治具３１からに吸着固定する。
【００２２】
次に、図７（Ｃ）に示すように、平板３７を吸着固定させた状態で、振り込み治具３１および平板３７を反転させる。次に、吸引手段を停止させ、ワーク３６を平板３７上に移載する。次に、振り込み治具３１を平板３７から分離し、平板３７上にワーク３６を整列させる。
【００２３】
【発明の効果】
本発明にかかるワークの整列方法によれば、複数の貫通孔または通気性を有する部材に内在する気孔を通じて平板を吸着固定するため、平板を振り込み治具に確実に密着させることができる。したがって、振り込み治具と平板の間にワークが入り込むことを防ぐことができる。
【００２４】
また、平板が大型化しても、吸引手段の吸引力を上げるだけで容易に対応することができる。
【００２５】
削除
【００２６】
さらに、請求項２の発明にかかるワークの整列方法によれば、貫通孔を設ける必要がないため、形状がシンプルで製作コストを下げることができる。また、収納穴が小さく、収納穴の底面に貫通孔を形成することが困難な場合にも用いることができる。また、振り込み治具内に形成された閉空間内にゴミが侵入し、吸引手段が故障するのを防止することができる。
【図面の簡単な説明】
【図１】参考形態１の振り込み治具を示す概略断面図である。
【図２】参考形態１のワークの整列方法を示す概略工程図である。
【図３】実施形態１の振り込み治具を示す概略断面図である。
【図４】実施形態１のワークの整列方法を示す概略工程図である。
【図５】実施形態１のワークの整列方法の変形例を示す概略断面図である。
【図６】実施形態２の振り込み治具を示す概略断面図である。
【図７】実施形態２のワークの整列方法を示す概略工程図である。
【図８】従来のワークの整列方法を示す概略断面図である。
【符号の説明】
１１，２１，３１      振り込み治具
１３，２３，３３      空間
１４，２４，３４      収納穴
１５，２５            貫通孔
１６，２６，３６      ワーク
１７，２７，３７      平板
３５                  通気性を有する部材
【図１】
0004400020.tif 000002
【図２】
0004400020.tif 000003
【図３】
0004400020.tif 000004
【図４】
0004400020.tif 000005
【図５】
0004400020.tif 000006
【図６】
0004400020.tif 000007
【図７】
0004400020.tif 000008
【図８】
0004400020.tif 000009